(57)【要約】【課題】フレネルレンズの溝に結露が生じた場合、短時間で溝の水分を消失させ、効率よく発電することができる集光型太陽発電装置を提供しようとするものである。【解決手段】底部材と周囲部材と上部材とで囲われ、内部には空間が形成され、かつ、上部材を太陽に対向させるように傾斜させて用いるケースを備え、上記ケースの上部材には太陽光を集光するための複数のフレネルレンズを備えさせ、上記ケースの内部には上記フレネルレンズにより夫々集光された光を夫々受光して発電する複数の太陽電池セルを備えさせ、上記ケースの周囲部材においては、相対向する面に少なくとも夫々２つずつの開口部を配設し、しかも各面における上記二つの開口部は、上記フレネルレンズ側寄りの上方と、太陽電池セル側寄りの下方に配置する。【選択図】    図１
2008004661.tif 000002
【特許請求の範囲】
【請求項１】
底部材と周囲部材と上部材とで囲われ、内部には空間が形成され、かつ、上部材を太陽に対向させるように傾斜させて用いるケースを備え、上記ケースの上部材には太陽光を集光するための複数のフレネルレンズを備えさせ、上記ケースの内部には上記フレネルレンズにより夫々集光された光を夫々受光して発電する複数の太陽電池セルを備える集光型太陽発電装置において、
上記ケースの周囲部材においては、相対向する面に少なくとも１つずつの開口部を備えさせ、上記開口部には、水膜が張られることによって通気が遮断されるメッシュで構成される通気弁を備えていることを特徴とする集光型太陽発電装置。
【請求項２】
底部材と周囲部材と上部材とで囲われ、内部には空間が形成され、かつ、上部材を太陽に対向させるように傾斜させて用いるケースを備え、上記ケースの上部材には太陽光を集光するための複数のフレネルレンズを備えさせ、上記ケースの内部には上記フレネルレンズにより夫々集光された光を夫々受光して発電する複数の太陽電池セルを備える集光型太陽発電装置において、
上記ケースの周囲部材においては、相対向する面に少なくとも夫々２つずつの開口部を配設し、上記開口部には、水膜が張られることによって通気が遮断されるメッシュで構成される通気弁を備えており、しかも各面における上記二つの開口部は、上記フレネルレンズ側寄りの上方と、太陽電池セル側寄りの下方に配置したことを特徴とする集光型太陽発電装置
【請求項３】
上記 開口部の配置は、夫々フレネルレンズ側寄りの上方の開口部は、開口部上端部とフレネルレンズの下縁との間が３０ｍｍ以内の位置に配置し、
太陽電池セル側寄りの下方の開口部は、開口部下端部と上記ケースの底部材との間が３０ｍｍ以内の位置に配置したことを特徴とする請求項２記載の集光型太陽発電装置。
【請求項４】
底部材と周囲部材と上部材とで囲われ、内部には空間が形成され、かつ、上部材を太陽に対向させるように傾斜させて用いるケースを備え、上記ケースの上部材には太陽光を集光するための複数のフレネルレンズを備えさせ、上記ケースの内部には上記フレネルレンズにより夫々集光された光を夫々受光して発電する複数の太陽電池セルを備える集光型太陽発電装置において、
上記ケースには、上記ケース内の空気を乱すような微風を作る為の循環扇を備えさせたことを特徴とする集光型太陽発電装置。
【請求項５】
底部材と周囲部材と上部材とで囲われ、内部には空間が形成され、かつ、上部材を太陽に対向させるように傾斜させて用いるケースを備え、上記ケースの上部材には太陽光を集光するための複数のフレネルレンズを備えさせ、上記ケースの内部には上記フレネルレンズにより夫々集光された光を夫々受光して発電する複数の太陽電池セルを備える集光型太陽発電装置において、
上記ケースの周囲部材においては、相対向する面に少なくとも１つずつの開口部を備えさせ、上記開口部の内、フレネルレンズ近傍の開口部においては、開口部の外周上部位置に雨水の吹き込み防止用水切板を配置したことを特徴とする請求項１又は２記載の集光型太陽発電装置。
【発明の詳細な説明】
【技術分野】
【０００１】
本発明は、太陽光をフレネルレンズにより太陽電池セル上に集光し、発電する集光型太陽発電装置に関する。
【背景技術】
【０００２】
従来の集光型太陽発電装置は、太陽光を集光するための複数のフレネルレンズが並設されている集光板と、集光板とは所定の間隔を隔てて平行に配設された支持板とを備え、その支持板上には、上記複数のフレネルレンズの夫々により集光された太陽光を夫々受光する複数の太陽電池セルが備えさせてある。
太陽光は、夫々のフレネルレンズにより集光され、夫々太陽電池セルに照射され、太陽光エネルギーは電力に変換され、発電される（例えば、特許文献１参照）。
【０００３】
【特許文献１】特開２００５−１４２３７３公報
【発明の開示】
【発明が解決しようとする課題】
【０００４】
上記従来の集光型太陽発電装置は、装置の日陰になる部分にも太陽光を照射して緑化できるようにする為に、支持板に貫通穴が複数箇所設けられている。
よって、塵埃や昆虫がその貫通穴からケース内に侵入し、フレネルレンズや太陽電池セルを汚染し、発電性能の低下を招く問題点があった。
さらに、降雨時には、雨水が上記貫通穴からケース内に入り込み、内部の太陽電池セルや配線等電気部材を濡らし、故障させる問題点があった。
【０００５】
そこで、出願人会社にあっては、上記のような問題点を解決する為に、塵埃や昆虫が上記貫通穴からケース内に侵入できないように囲ってみた。
しかし、このようにすると、塵埃や昆虫や雨水は侵入し難くなるものの、ケース内部に僅かな水分が侵入した場合、その水分はケース外に抜け難くなる。
そして、天候の変化、外気とケース内との温度差の変化等により、フレネルレンズの溝に結露が生じる。
この結露により、溝に溜った水分はレンズの集光能力を阻害し、発電効率を著しく低下させてしまう問題点が生じる。
しかも、フレネルレンズは、太陽光を殆ど吸収しない為、暖まり難く、レンズの溝に溜まった水分は、太陽光によってケース内の温度が上昇しても、なかなか無くならず、長時間滞留して、発電を著しく阻害する問題点がある。
【０００６】
本発明の目的は、フレネルレンズの溝に結露が生じた場合でも、効率よく発電することができる集光型太陽発電装置を提供しようとするものである。
他の目的は、降雨時には、不要な水分がケース内に侵入するのを防止し、ケース内が濡れるのを防止する集光型太陽発電装置を提供しようとするものである。
他の目的及び利点は図面及びそれに関連した以下の説明により容易に明らかになるであろう。
【課題を解決するための手段】
【０００７】
本発明における集光型太陽発電装置は、底部材２２と周囲部材２３、２４、２５、２６と上部材２７とで囲われ、内部には空間２８が形成され、かつ、上部材２７を太陽に対向させるように傾斜させて用いるケース２１を備え、上記ケース２１の上部材２７には太陽光を集光するための複数のフレネルレンズ４５を備えさせ、上記ケース２１の内部には上記フレネルレンズ４５により夫々集光された光を夫々受光して発電する複数の太陽電池セル３７を備える集光型太陽発電装置６において、上記ケース２１の周囲部材２３、２４、２５、２６においては、相対向する面に少なくとも１つずつの開口部５０を備えさせ、上記開口部５０には、水膜が張られることによって通気が遮断されるメッシュで構成される通気弁５１を備えたものである。
【０００８】
また好ましくは、底部材２２と周囲部材２３、２４、２５、２６と上部材２７とで囲われ、内部には空間２８が形成され、かつ、上部材２７を太陽に対向させるように傾斜させて用いるケース２１を備え、上記ケース２１の上部材２７には太陽光を集光するための複数のフレネルレンズ４５を備えさせ、上記ケース２１の内部には上記フレネルレンズ４５により夫々集光された光を夫々受光して発電する複数の太陽電池セル３７を備える集光型太陽発電装置６において、上記ケースの周囲部材２３、２４、２５、２６においては、相対向する面に少なくとも夫々２つずつの開口部５０、５０を配設し、上記開口部５０、５０には、水膜が張られることによって通気が遮断されるメッシュで構成される通気弁５１を備えており、しかも各面における上記二つの開口部５０、５０は、上記フレネルレンズ側寄りの上方と、太陽電池セル側寄りの下方に配置したものであればよい。
【０００９】
また好ましくは、上記 開口部５０、５０の配置は、夫々フレネルレンズ側寄りの上方の開口部50aは、開口部上端部とフレネルレンズ４５の下縁45bとの間が３０ｍｍ以内の位置に配置し、太陽電池セル側寄りの下方の開口部は、開口部下端部50bと上記ケースの底部材２２との間が３０ｍｍ以内の位置に配置したものであればよい。
【発明の効果】
【００１０】
以上のように本発明は、太陽光をフレネルレンズにより集光し、太陽電池セル上に照射して、発電することができるのは勿論のこと、
フレネルレンズの溝に結露が生じた場合でも、ケースの周囲部材における相対向する面に夫々備えられた開口部によって、傾斜しているケースの下端側から上端側へ空気を流し、短時間でフレネルレンズの溝に溜った水分を除去することができる。これにより、溝に水分が溜ることによる集光能力の阻害時間を短くして、発電時間を長くすることができる発電効率上の効果がある。
【００１１】
さらに本発明は、上記開口部を備えるものであっても、開口部に備えられた通気弁に水膜が張られることによって通気を遮断するように塞ぐので、不要な水分がケース内に侵入するのを防止し、ケース内が濡れるのを防止することができる使用上の効果がある。
【発明を実施するための最良の形態】
【００１２】
以下本発明の実施の形態を図１乃至図７を用いて説明する。図１において、Ｇは通常知られている集光型太陽発電機構と同じ機能を備える集光型太陽発電機構を示す。この機構Ｇにおいて、１は建造物乃至大地に対して安定的に固設する為のベースを示し、２はその上に樹立させたポールを示す。
【００１３】
３は、ポール２に対して集光型発電装置６を傾動自在に支持する為の周知の太陽光追尾装置と同じ機能を備える装置を示す。その傾動の構成は、広く知られているように、ベース１が固着状態において太陽に対して集光型発電装置６の上面７（受光面ともいう）を対向させ、太陽の動きに伴って、予め定められたプログラムに従って、逐次受光面７を最も受光効率の高い状態に傾動させるように構成されている装置である。
太陽光追尾装置３において、１２は基台を示し、回動軸１４、１５を回動させる為の電動機等の駆動源を備える。12aは下部１１をポール２の頭部に固着した支持腕を示す。支持腕12aの上部は回動軸１４に連結され、支持腕12aに対して基台１２が矢印６０方向に回動自在になるようにしてある。
12bは上部を受台１３に固定してある連結腕を示す。連結腕12bの下部は回動軸１５に連結され、基台１２に対して連結腕12bが矢印６１方向に回動自在になるようにしてある。上記受台１３は集光型発電装置６の全体を支持するための構造部材を示す。
なお、不動部分のベース１及びポール２に対して、太陽を追尾させる為の太陽光追尾装置３の動きに関しては、三次元的な動きであればよく、その為の支持構造としては種々なものが公知である。
【００１４】
次に、集光型発電装置６について説明する。
集光型発電装置６は図１によく示されるように、複数の集光型発電モジュール６ａが受台１３の上に並んで配置して構成してある。これら複数の集光型発電モジュール６ａ相互間は、任意流通経路を経由して通気可能に接続されている。
【００１５】
次に、集光型発電モジュール６ａを構成するケース２１について説明する。
図２に示すようにケース２１は、底部材２２と、第１周囲部材２３と、第２周囲部材２４と、第３周囲部材２５と、第４周囲部材２６と、上部材２７とを備え、四周（上下左右）を囲い、内部に空間２８を備えている。ケース２１内の空間２８は適当な密封度が得られ、大きなゴミは侵入しないようになっている。また、降雨時も防滴構造に構成されている。
【００１６】
ケース２１における底部材２２は、上記太陽光追尾装置３における受台１３で支えられている構造部材で、板材で構成されている。
第１周囲部材２３、第２周囲部材２４、第３周囲部材２５、第４周囲部材２６は、底部材２２に周知の手段によって連結されている。これらは夫々空間２８を取り囲むように構成されている。
なお、上記底部材２２及び第１〜第４周囲部材２３、２４、２５、２６は熱伝導のよい金属板、例えば鉄板、アルミ材で構成してある。
上部材２７は、任意の構造的な鋼材でもって構成される枠４６と複数のフレネルレンズ４５とを備える。
枠４６は、周知のようにフレネルレンズ４５を縦横整然に受止めできるように、縦横任意の間隔で鋼材を配置して構成してある。
４５は周知のフレネルレンズを示し、図４によく示されるように、表面は球面状に、裏面は階段状の環状段差を有する凹凸状に構成されている。フレネルレンズ４５は光学的性質に優れた樹脂材料、例えばアクリル樹脂によって形成されている。４７はフレネルレンズ４５における溝を示す。
上記フレネルレンズ４５は、図２、３に表れているように上記枠４６に縦横整然と相互接合状態で配置され、固定されている。
なお、上記ケース２１の構成は、特定の一つの事例について説明したが、他の公知の任意の閉塞構造にしてあってもよい。
【００１７】
次に、集光型発電モジュール６ａ内に複数個配置されている発電ユニット３４について説明する(図３、図４参照）。発電ユニット３４は、上記したフレネルレンズ４５と周知の発電要素３５を備えている。フレネルレンズ４５と発電要素３５との相互の位置関係は、図４に示されるようにフレネルレンズ４５で集光された太陽光の焦点距離が太陽電池セル３７に照射されるような位置関係にしてある。
なお、広く知られているように、各発電要素３５は底部材２２上に配置される配線により互いに接続され、その発電出力は図略のリード線によって集光型発電装置６外へ取り出されるようにしてある。
発電ユニット３４における発電要素３５は、図３、図４に示されるように底部材２２上に固定的に配置してある。発電要素３５において、３７は太陽電池セル、３９は追尾がずれたときの周辺部材への集光された太陽光線の直撃から保護する為の保護カバー、３８は保護カバー３９を支持する為の保持材、４１は保護カバー３９における貫通穴39ａを通過した太陽光の強度を均等化して太陽電池セル３７に導く為のホモジナイザを示す。
【００１８】
次に開口部５０について説明する。開口部５０のケース２１における配設場所は、図１〜図３から推測できるように、上記ケース２１の周囲部材においては、相対向する面に少なくとも１つずつの開口部５０を備える。図１〜図３に示す例にあっては、開口部５０は、水平線に対して傾斜（θ）しているケースの下端側21ａと上端側21ｂに位置する周囲部材２５、２６に夫々形成してあり、ケース内の空間２８に空気の流通経路ができるようにしている。さらに開口部５０の場所は第１周囲部材２３の下端側21ａ寄りと、第１周囲部材２３に対向する第２周囲部材２４側の上端側21ｂ寄りの位置に設けてもよい。
次に、周囲部材における開口部５０の配置は、相対向する面に少なくとも夫々２つずつの開口部５０、５０を配設し、しかも各面における上記二つの開口部５０、５０は、上記フレネルレンズ側寄りの上方と、太陽電池セル側寄りの下方に配置する。
図１〜図３に示す例にあっては、第３周囲部材２５における開口部５０は、フレネルレンズ４５寄りの上方25ａに１２個配置し、底部材２２寄りの下方25ｂに１０個配置してある。さらに、第３周囲部材２５に対向する第４周囲部材２６においても、第３周囲部材２５と同様に配置してある。
なお、フレネルレンズ側寄りの上方25ａの開口部５０の配置位置は、フレネルレンズ４５付近に通気するように、開口部上端部50ａとフレネルレンズ４５の下縁45bとの間が３０ｍｍ以内の位置に配置するとよい。一方、太陽電池セル側寄りの下方25ｂの開口部５０は、開口部下端部50bと上記ケースの底部材２２との間が３０ｍｍ以内の位置に配置するとよい。
開口部５０の大きさは、ケース２１内の空間２８に空気の流通経路ができるように任意の大きさに形成すればよく、ケース２１の全容積と後述する通気弁の構成により設定するとよい。
【００１９】
次に、図５に示されるように、５１は開口部５０に備えられる通気弁を示す。通気弁５１の開口部５０に対する取付は、図５（Ｂ）に示されるように、周囲部材２５、２６の裏側（ケース２１の内側）に夫々接着材５３で密着状に取付けてある。接着材５３としては、例えばシーリング用シリコーンゴムを用いるとよい。
通気弁５１は、常態では通気し、水膜が張られることによって通気が遮断されるようなメッシュで構成されている。具体的には、通気弁５１には、結露によって付着した水や、降雨時に通気弁５１に触れた雨水によって水膜が張られる。メッシュとしては、例えば、ステンレスワイヤーを用いて１００メッシュ以上で構成すればよい。これにより、上記したようにケース２１に開口部５０を備えるものであっても、開口部５０に備えられた通気弁５１に水膜が張られることによって通気を遮断するように塞ぐので、不要な水分がケース２１内に侵入するのを防止し、ケース２１内が濡れるのを防止することができる。
さらに、メッシュとして具体的には、例えば、材質：直径60μｍのステンレスワイヤー、本数：25.4mm中に150本、紗厚：0.12mm開口率４２％のメッシュを用いるとよい。
【００２０】
上記構成のものの使用状態を説明する。
まず、日の出以降の発電モジュール６ａのケース内の空気の流れ、フレネルレンズ４５の溝の状態、発電状態について説明する。
日の出の時点においては、一般に、夜間の温度低下、放射冷却等の原因で、フレネルレンズ４５の溝４７には結露が生じている。
時間が経過し、次第に太陽が昇り、太陽光がケース内に照射され、ケース内の温度が上昇する。ケース２１は、上述したように上部材２７の表面を太陽に対向させており、図１、図３（Ａ）示されるように傾斜しているので、ケース内ではケースの下端側21ａと上端側21ｂとの間に温度差が生じる。
従って、ケース内に空気の流れが生じる。その流れは、図３（Ａ）における矢印６３で示されるように、ケース下端側21ａの複数の開口部５０夫々から外気が流入し、ケース上端側21ｂの複数の開口部５０へ向けて流れ、上端側21ｂの複数の開口部５０からケース外部に流出する。
詳しくは、図３（Ａ）における矢印６３で示されるように、ケース下端側21ａの複数の開口部５０の内、フレネルレンズ４５寄りの上方25ａに配置した開口部５０から流入した空気は、フレネルレンズ４５の近くを通って流れる。よって、フレネルレンズ４５付近には気流が生じ、溝４７に溜った水分を気化させ、水分を短時間で除去していく。
一方、底部材２２寄りの下方25ｂに配置した開口部５０から流入した空気は、底部材２２の近くを通って流れる。
よって、底部材２２側に生じた結露を気化し、水気を含んだ空気はケース外に出る。これにより、底部材２２近くの水分が蒸発して、それがフレネルレンズ４５に向かうのを防止する。
この状態が続くと、集光型発電モジュール６ａにおける複数のフレネルレンズ４５の溝４７に溜まった水分は、速やかに減少する。
従って、フレネルレンズ４５に向けて照射された太陽光は、設計通りフレネルレンズ４５で集光され、太陽電池セル３７に向かい、予定通りの発電が行われる。
集光型発電モジュール６ａに太陽光が照射されてから、全てのフレネルレンズ４５の溝４７の結露が除去されるまでの時間は、集光型発電モジュール６ａの容積と全開口部の総面積等によって前後するが、ほぼ２０分から１時間程度である。
以上のようにケース下端側２１ａから上端側21ｂへ空気が流れ、短時間でフレネルレンズの溝に溜った水分を除去することができる。これにより、溝に水分が溜ることによる集光能力の阻害時間が短く、発電時間が長くなるので、発電効率がよいことになる。
【００２１】
次に、降雨時の開口部５０及び通気弁５１の状態について説明する。
雨の水滴が通気弁５１のメッシュに触れると、水が表面張力によって複数の網目の表面に水膜を張る。一定量の水滴が通気弁５１に触れると通気弁の全面に水膜が張られ開口部５０を塞ぎ、開口部５０の通気を遮断する。
これにより、外部から不要な水分がケース内に侵入するのを防止し、ケース内が濡れるのを防止することができる。
次に雨が止み、晴れた場合の開口部５０及び通気弁５１の状態は次の通り。
太陽光がケースに照射され、通気弁５１に張っていた水膜が蒸発し、開口部５０が開放される。すると、先に、日の出以降の発電モジュール６ａのケース内の空気の流れ、フレネルレンズ４５の溝の状態、発電状態について説明したと同様に、ケース下端側２１ａから上端側21ｂへ空気が流れ、フレネルレンズの溝４７の結露による弊害を防止することができる。
【実施例】
【００２２】
実施例１
図６は、開口部５０の配置位置、数、大きさについての具体例を示す。図６に示される括弧（）付きの数字は寸法（単位：ｍｍ）を示す。例えば開口部の寸法は、直径12mmである。
【００２３】
実施例２
発電モジュール６ａのケースに設ける開口部の総面積と結露条件との関係についての実験例を示す。
方法：
容積18,200cm3の発電モジュール（ミニモジュール（14cm×14cm レンズ６枚組））の長手方向にφ12の孔（開口部）を対向する周囲部材の上下に各12個、合計12×2×2＝48個開け、その孔を開口率42％のステンレスメッシュで覆う。この孔を適宜紙テープで塞ぎ、開口部の総面積を変え、結露の有無を調べる。
結露の判別条件：
前日夕方に５ｃｍ角のガーゼに水をしみこませ、モジュール内に置いておく。翌日、早朝に屋外に出し、日に照らされるとともにガーゼにしみこんだ水が再蒸発しレンズに付着し結露する。この結露が日光にさらされた後に何時間で消失するか調べる。
結果  ：
【表１】
2008004661.tif 000003
考察：
日の出後１時間以内に結露が消失するようにするにはV/S（モジュールの容積／開口部の総面積）を10,000cm未満にすればよい。日の出後１時間までの直射日光は全直射日光の５％と割合が低く、結露による発電量消失の影響は無視できる。さらに、V/Sが1,000を越えても結露の消失時間の変化はなく、むしろ、面剛性の低下といった悪影響が出る（表１参照）。
このことから、
結論：
開口部５０は、１０００cm＜V/S＜１０,０００cmを満たすようにすればよい。
【００２４】
次に、図１から図６の開口部とは形状の点において異なる例を示す図７について説明する。
なお、図７において前述の図１〜図６のものと機能、性質又は特徴等が同一又は均等構成と考えられる部分には、前述の図１〜図６と同一の符号を付して重複する説明を省略する。（また次項以降の説明において用いる図３（Ｂ）（Ｃ）においても順次同様の考えで、前述の図１〜図６と同一の符号を付して重複する説明を省略する。）
５８は長孔に形成した開口部を示す。開口部５８のケースにおける配設場所及び周囲部材における開口部５８の配置は、上述した図１〜図６に示される開口部５０と同様にケース内の空間２８に空気の流通経路ができるように配置すればよい。
なお、図７において、開口部の形状が長孔の例を示したが、ケース２１内の空間２８に空気の流通経路ができるものであればよく、三角形、四角形等の多角形やスリット状に形成してもよい。
【００２５】
次に、図１から図６の集光型発電モジュール６ａとは循環扇を備える点において異なる例を示す図３（Ｂ）について説明する。
７０はケース内の空間２８に空気の乱れを起こすような微風を送る為の循環扇を示す。７１はケースの第３周囲部材２５に対して回動自在に取付けられた回動軸、７２は回動軸７１に固着された内部ファンを示す。７３は回動軸７１に固着された風車を示し、周知のように自然の風力で回動するようにしてある。
図３（Ｂ）に示されるように循環扇７０を備えることにより、ケース内の空気は流れ、通気がより効率よく行われることになる。
【００２６】
次に、図１から図６の集光型発電モジュール６ａとは開口部付近に水切板を備える点において異なる例を示す図３（Ｃ）について説明する。
７５は、雨水の吹き込み防止用水切板を示し、その配置は、ケース２１の開口部の内、フレネルレンズ４５近傍の開口部の外周上部位置に配設してある。
このような構成にすることにより、ケース２１内に雨水が吹き込むのを防止することができる。
【００２７】
次に、図１の集光型太陽発電機構Ｇとは、ベース１、受台３、集光型発電装置６、ケース２１、発電ユニット34の要素の配列等、各所の構成の点において少し異なる例を示す図８について説明する。
図８の集光型太陽発電機構Ghは、比較的小規模の集光型発電装置６hを提供する為のものであり、集光型発電装置６hにおけるケース21hは図1の場合とは異なり複数に細分化されており、複数のケース21hを太陽光追尾装置９２により連動させて効率の良い発電が行われるようにした集光型太陽発電機構Ghを提供しようとするものである。
なお、図８は前述の図１〜図７に示される集光型太陽発電機構Ｇに係わる構成と一部機能、性質が同一視できるので、前述の図１〜図７のものと機能、性質又は特徴等が同一又は均等構成と考えられる部分には、前述の図１〜図７と同一の符号にhを付して重複する説明を省略する。
【００２８】
図８において、８１は、ベース１に対応させた基台で、硬質材料、例えば金属板で環状に構成してある。これは建造物に固定させる為のものである。８２は、レール８４を回動自在に支承する為の環状の滑動受面、８３は、太陽光追尾装置９２を構成する機構の内、方位角調整機構９０を配置する為の欠除部を示す。
８４は環状に形成されたレールを示し、自体の滑動面８５を滑動受面８２の上に対応乗載させた状態で矢印９３方向に往復回動させるようにしてある。
８６は、レール84の上に乗載させて固着し、矢印９３方向に一体的に往復回動するようにした硬質材料、例えば金属板製の受枠で、平面形状を図8（A）のように角形に構成してある。
受枠８６の相対向する面86a、86bには、集光型発電装置6h（複数の集光型発電モジュール6ahを並設して構成されている）を図8（A）に表れているように配列し、かつ集光型発電モジュール6ahの夫々の回動軸８８が回動可能になるように、複数の軸受部材（貫通孔）８７が並設されている。
なお集光型発電モジュール6ahにおける両側に夫々突設させた夫々の回動軸８８は、夫々任意の連動機構により連動自在に連結される。例えば、夫々の回動軸８８に連動用の歯車を備えさせ、それらの歯車をラックにより、或いはウォームギヤを利用して連動させるようにしてある。このような構成により複数の集光型発電モジュール6ahが、連動することにより１つの集光型発電装置6hとして機能する。
【００２９】
次に複数のケース21hにおいては、前述の場合と同様（図３、図４に関して説明したと同様）に、上側にフレネルレンズ45hを、下側に周知の発電要素35hを備えて構成される発電ユニット34h（図８（C）参照）が、図8（A）から推察できるように複数並列状に配設してある。
【００３０】
９０と、９１とは、太陽光追尾装置９２（３）を構成するもので、方位角調整装置と、傾斜角（仰角）調整装置の存在が示す。
方位角調整装置９０は、周知の任意機構例えば駆動ギヤードモータと、ウォームギヤ減速機等と、図示外のコンピューター制御手段を備え、集光型発電装置６hの上面（受光面）7hが太陽光を効率良く受け入れできる面となるようにレール８４を矢印９３方向に往復移動させる。
傾斜角（仰角）調整装置９１は、周知の任意機構例えば駆動ギヤードモータと、ウォームギヤ減速機等と、図示外のコンピューター制御手段を備え、集光型発電装置６hの上面（受光面）7hが太陽光を効率良く受け入れできる面となるように矢印93a方向に往復傾動させる。
【００３１】
上記ケースの周囲部材においては、相対向する面に夫々２つずつ以上の開口部を配設すればよい。
しかも必要に応じては各面における上記二つ以上の開口部は、上記フレネルレンズ側寄りの上方と、太陽電池セル側寄りの下方に配置すればよい。
図8（B）、（C）に例示する集光型発電モジュール6ahにおける複数の開口部50hは、図3の場合と同様に相対向する周囲部材25h、周囲部材26hに対して、夫々図8（B）に現れるように備えさせてある。また、複数の開口部50hに対しては夫々必要には応じて、前述したように通気弁を備えさせればよい。
上記構成によれば、図３を用いて説明したように矢印63h方向の自然通気が発生し、前述したように短時間でフレネルレンズ45hの溝に溜った水分を除去することができる。
【図面の簡単な説明】
【００３２】
【図１】集光型太陽発電機構を説明する為の斜視図
【図２】集光型発電モジュールを説明する為の概略斜視図
【図３】（Ａ）は集光型発電モジュールのケース内の通気を説明する為の模式図で、図２におけるIII−III線、III'−III'線における切断面を示す。（Ｂ）は集光型発電モジュールに循環扇を備えた例を説明する為の模式図で一部破断してある。（Ｃ）は開口部付近に水切板に循環扇を備えた例を説明する為の模式図で一部破断してある。
【図４】発電ユニットにおける発電要素とフレネルレンズの関係を説明する為の断面図。
【図５】（Ａ）は囲部材と開口部の関係を表す図で周囲部材は一部破断してある、（Ｂ）は周囲部材と開口部における通気弁の関係を説明する為の（Ａ）におけるＶ−Ｖ線断面図で周囲部材は一部破断してある。
【図６】開口部の配置位置、数、大きさについての具体例を示す図
【図７】図１〜図６の開口部とは異なる例を説明する為の部分斜視図
【図８】（Ａ）は集光型太陽発電機構Gとは異なる例の集光型太陽発電機構Ghを示す一部破断平面図、（Ｂ）は（Ａ）のVIIIaーVIIIa位置における一部破断模式図、（Ｃ）は（Ｂ）のVIIIbーVIIIb位置における一部破断模式図。
【符号の説明】
【００３３】
Ｇ・・・集光型太陽発電機構、１・・・ベース、２・・・ポール、３・・・太陽光追尾装置、６・・・集光型発電装置、  ６ａ・・・集光型発電モジュール、７・・・上面（受光面）、１２・・・基台、12a・・・支持腕12b・・・連結腕、３・・・受台、２１・・・ケース、２２・・・底部材、２３・・・第１周囲部材、２４・・・第２周囲部材、２５・・・第３周囲部材、２６・・・第４周囲部材、２７・・・上部材、２８・・・空間、３４・・・発電ユニット、３５・・・発電要素、３６・・・座板、３７・・・太陽電池セル、８・・・支柱、３９・・・保護カバー、３９ａ・・・貫通孔、４５・・・フレネルレンズ、４５ａ・・・上端、４５ｂ・・・下端、４７・・・溝、５０・・・開口部、５１・・・通気弁、５３・・・接着材、８１・・・基台、８２・・・滑動受面、８３・・・欠除部、８４・・・レール、８５・・・滑動面、８６・・・受枠、８７・・・軸受、８８・・・ケース側の回動軸、９０・・・方位角調整装置、９１・・・傾斜角（仰角）調整装置、９２・・・太陽光追尾装置、９３・・・矢印。
【図１】
2008004661.tif 000004
【図２】
2008004661.tif 000005
【図３】
2008004661.tif 000006
【図４】
2008004661.tif 000007
【図５】
2008004661.tif 000008
【図６】
2008004661.tif 000009
【図７】
2008004661.tif 000010
【図８】
2008004661.tif 000011